【事件の表示】
　商願２００４−１０９８４８拒絶査定不服審判事件について、次のとおり審決する。
【結　論】
　原査定を取り消す。
　本願商標は、登録すべきものとする。
【理　由】
１　本願商標
　本願商標は、「生活クラブ・スピリッツ」の文字を標準文字で書してなり、第３類、第５類、第２９類ないし第３２類に属する願書記載のとおりの商品を指定商品として、平成１６年１２月１日に登録出願されたものである。
　
２　原査定の拒絶の理由（要点）
（１）商標法第４条第１項第１１号該当
　原査定において、本願商標が商標法第４条第１項第１１号に該当するとして本願の拒絶の理由に引用した登録商標は、「スピリット」の片仮名文字を横書きしてなり、昭和５２年１月２１日に登録出願され、第１３類に属する商標登録原簿に記載のとおりの商品を指定商品として、同５７年６月２９日に設定登録され、その後２回にわたり、商標権存続期間の更新登録がなされた後、平成１５年９月１０日に指定商品を第３類「研磨紙，研磨布，研磨用砂，人造軽石，つや出し紙，つや出し布」、第６類「かな床，はちの巣，金属製金具」、第８類「手動利器（「刀剣」を除く。），刀剣，自動車の板金用手動工具，その他の手動工具（「すみつぼ類・皮砥・鋼砥・砥石」を除く。），すみつぼ類，皮砥，鋼砥，砥石」、第１１類「水道蛇口用座金，水道蛇口用ワッシャー」、第１４類「キーホルダー」、第１６類「装飾塗工用ブラシ」、第１７類「ゴム製又はバルカンファイバー製の座金及びワッシャー，蹄鉄（金属製のものを除く。）」、第１８類「かばん金具，がま口口金」、第２０類「カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。）」、第２１類「魚ぐし，おけ用ブラシ，金ブラシ，管用ブラシ，工業用はけ，船舶ブラシ」及び第２６類「針類，被服用はとめ」とする指定商品の書換登録がなされた登録第１５２０９４７号商標のほか、後記の１２件（以下、前記引用登録商標及び後記の（１）ないし（11）を「引用Ａ商標」、（12）を「引用Ｂ商標」という。）である。　
（２）商標法第４条第１項第１６号該当
　本願商標は、指定商品「ビール，清涼飲料，果実飲料，ビール製造用ホップエキス，乳清飲料，飲料用野菜ジュース」との関係において、その構成中に「蒸留酒」の意、あるいは「強い酒．ジン，ウォツカ，ウイスキー，ブランデー，ラムなど」の意に通じる「スピリッツ」の文字を有しているから、その指定商品中の前記商品に使用するときには、その商品が恰も「ジン，ウォツカ，ウイスキー，ブランデー，ラムなどの蒸留酒」であるかの如く商品の品質について誤認を生じさせるおそれがあるものと認める。したがって、本願商標は、商標法第４条第１項第１６号に該当する。
　
３　当審の判断        
（１）本願商標は、前記１のとおり、「生活クラブ・スピリッツ」の文字よりなるところ、「生活クラブ」の文字と「スピリッツ」の文字の間に中点が配されているとしても、構成各文字は、同じ書体、同じ大きさ、同じ間隔で、外観上まとまりよく一体的に表されているものであって、これに相応して生ずる「セイカツクラブスピリッツ」の称呼も、格別冗長というべきものでなく、よどみなく一連に称呼できるものである。
　そして、本願商標に接する需要者等が、殊更、「生活クラブ」又は「スピリッツ」の文字部分を捨象し、該文字部分のいずれか一方のみをもって取引にあたらなければならないという格別の事情も見いだせないから、本願商標は、構成文字全体をもって、特定の観念を生じない一体不可分の一種の造語を表したものとして認識し、把握されるというのが自然である。
　そうすると、本願商標は、その構成文字全体に相応して、「セイカツクラブスピリッツ」の称呼のみを生ずるものというのが相当である。
（２）してみれば、本願商標より、「セイカツクラブ」又は「スピリッツ」の称呼をも生ずるとし、そのうえで、本願商標と引用Ａ商標が称呼上類似するものであり、商標法第４条第１項第１１号に該当するとして本願を拒絶した原査定は、妥当ではない。
（３）また、引用Ｂ商標の商標権は、商標登録原簿の記載によれば、平成１７年１０月３１日商標権存続期間満了により消滅しているものであるから、本願商標が引用Ｂ商標との関係において、商標法第４条第１項第１１号に該当するとして本願を拒絶した原査定の拒絶の理由は解消した。
（４）そして、本願商標は、前記のとおり、構成文字全体をもって、特定の観念を生じない一種の造語よりなるものとみるのが自然であるから、これをその指定商品について使用しても、商品の品質について誤認を生じさせるおそれはないというべきである。
（５）してみれば、本願商標が商標法第４条第１項第１６号に該当するとして本願を拒絶した原査定は、妥当ではない。
（６）したがって、本願商標を商標法第４条第１項第１１号及び同第１６号に該当するとして拒絶した原査定は、取消しを免れない。
　その他、政令で定める期間内に本願について拒絶の理由を発見しない。
　よって、結論のとおり審決する。
　
後記
（１）登録第３３４７３７６号商標は、「ＳＰＩＲＩＴ」の欧文字と、この欧文字の下部右寄りにやや小さく表された「スピリット」の片仮名文字を二段に併記してなるものであり、第３類に属する商標登録原簿に記載のとおりの商品を指定商品とするものである。
（２）登録第４００７４６１号商標は、「スピリッツ」の片仮名文字と「ＳＰＩＲＩＴ」の欧文字を二段に併記してなるものであり、第３０類に属する
商標登録原簿に記載のとおりの商品を指定商品とするものである。
（３）登録第４０５０４１６号商標は、「スピリット」の片仮名文字を横書きしてなるものであり、第２９類に属する商標登録原簿に記載のとおりの商品を指定商品とするものである。
（４）登録第４１１２１７３号商標は、別掲１のとおり、「ＳＰＩＲＩＴＳ」の欧文字を含む構成よりなるものであり、第３０類に属する商標登録原簿に記載のとおりの商品を指定商品とするものである。
（５）登録第４３３０６１５号商標は、「せいかつくらぶ」の平仮名文字と「生活倶楽部」の漢字を二段に併記してなるものであり、第３類及び第２４類に属する商標登録原簿に記載のとおりの商品を指定商品とするものである。
（６）登録第４４１５５２６号商標は、「ＳＰＩＲＩＴ」の欧文字を標準文字で書してなるものであり、第１８類に属する商標登録原簿に記載のとおりの商品を指定商品とするものである。
（７）登録第４５１９８７６号商標は、「スピリット」の片仮名文字と「ＳＰＩＲＩＴ」の欧文字を二段に併記してなるものであり、第３１類に属する商標登録原簿に記載のとおりの商品を指定商品とするものである。
（８）登録第４５９７８２０号商標は、別掲２のとおり、「ＳＰＩＲＩＴ」の欧文字を含む構成よりなるものであり、第３類、第４類、第６類、第８類、第１１類、第１４類、第１６類、第１７類、第２０類、第２１類、第２２類、第２８類、第３０類、第３１類及び第３２類に属する商標登録原簿に記載のとおりの商品を指定商品とするものである。
（９）登録第４６６１８００号商標は、「ＳＰＩＲＩＴ」の欧文字を標準文字で書してなるものであり、第３類に属する商標登録原簿に記載のとおりの商品を指定商品とするものである。
（10）登録第４７１６０８５号商標は、「生活クラブ　わたらい茶　生産グループ」の文字を標準文字で書してなるものであり、第３０類に属する商標登録原簿に記載のとおりの商品を指定商品とするものである。
（11）登録第４８３２１２０号商標は、「ＳＰＩＲＩＴ」の欧文字を標準文字で書してなるものであり、第３類に属する商標登録原簿に記載のとおりの商品を指定商品とするものである。
（12）登録第３０８６０２７号商標は、「ＳＰＩＲＩＴＳ」の欧文字を横書きしてなるものであり、第１０類に属する商標登録原簿に記載のとおりの商品を指定商品として設定登録されたものであるが、その後、平成１７年１０月３１日の存続期間満了により、同１８年７月１２日に本件の登録の抹消登録がなされたものである。